(57)【要約】【課題】  できる限り単純な構造でコストを抑え、アルバムとしては勿論のこと写真立てとしても体裁が良く、写真立てとしたときの安定性も良く、しかもアルバムと写真立てとの相互の状態変化を簡単に行えるアルバム兼用写真立てを提供する。【解決手段】  表板１０と裏板２０とを連設部４０により相互に折り曲げ可能に連設し、連設部４０の延伸方向に直交する方向における表板１０のほぼ中央部から連設部４０側に前記延伸方向の折り曲げ部１５を設け、前記直交方向における裏板２０のほぼ中央部から連設部４０に対向する端部側に前記延伸方向の折り曲げ部２５を設け、裏板２０内面の折り曲げ部２５から端部に至る部分に写真入れ３０を取付けてなる。表板１０の折り曲げ部１５は、ａ１：ａ２≒１：２となる位置に設けられ、裏板２０の折り曲げ部２５は、ｂ１：ｂ２≒２：１となる位置に設けられている。【選択図】      図１
0003103884.tif 000002
【実用新案登録請求の範囲】
【請求項１】
表板と裏板とを連設部により相互に折り曲げ可能に連設し、その連設部の延伸方向に直交する方向における表板の少なくともほぼ中央部から連設部側に前記延伸方向の折り曲げ部を設け、前記直交方向における裏板の少なくともほぼ中央部から連設部に対向する端部側に前記延伸方向の折り曲げ部を設け、裏板内面の前記折り曲げ部から前記端部に至る部分に写真入れを取付けてなることを特徴とするアルバム兼用写真立て。
【請求項２】
前記表板の折り曲げ部は、前記連設部から前記直交方向における表板の長さのほぼ１／３の位置に設けられ、前記裏板の折り曲げ部は、前記端部から前記直交方向における裏板の長さのほぼ１／３の位置に設けられていることを特徴とする請求項１記載のアルバム兼用写真立て。
【請求項３】
前記写真入れは、窓部を有する外装板と、この外装板の裏面に窓部を覆うように取付けられた背板とからなることを特徴とする請求項１又は請求項２記載のアルバム兼用写真立て。
【請求項４】
前記写真入れの背板が裏板内面に取付けられていることを特徴とする請求項３記載のアルバム兼用写真立て。
【考案の詳細な説明】
【技術分野】
【０００１】
この考案は、アルバムとしても利用できるアルバム兼用写真立てに関する。
【背景技術】
【０００２】
写真の整理にはアルバムが良く利用されるが、アルバムは一般には写真を整理して仕舞っておくもので、写真を飾るためには例えば図４に示すような写真立てが使用される。図４の写真立て５０は、窓部５１に写真を入れ、支持脚５２を後側に引き起こして使用する。窓部５１には、写真の保護などから透明なガラスやプラスチック等からなるカバーが設けられていることが多い。
【０００３】
ところで、図４のような写真立ての機能とアルバムとしての機能を兼ね備えた技術がある。例えば、表面と裏面、両者をつなぐ背表紙とからなり、表面には窓、背表紙の内側には複数枚の袋状の写真入れが取付けられ、表面の折り返しが裏面に及んだ「写真立てとして利用できるアルバム」がある（例えば、特許文献１参照）。
【０００４】
また、芯板に枠部材を重合接着し、その枠部材内を嵌合凹所としてなる芯枠部体を内装板と外装板で被覆内包し、その嵌合凹所に装飾板を嵌着してなる表側体と、内装板と外装板にそれぞれ一連の内装板と外装板で芯板を被覆内包してなる裏側体とを、これら内，外装板の中央部分を接着してなる蝶着部により開閉自在に蝶着してなる「装丁体とその製造方法」がある（例えば、特許文献２参照）。
【０００５】
更に、表紙は裏表紙部、左右の背表紙部及び一側表表紙部、他側表表紙部から構成し、それぞれ折り曲げ可能に連設し、裏表紙部の内面には裏表紙部に貼着した固定円板と固定円板に水平方向に回転可能に嵌合した可動支持板からなる台紙回転支持体が設けられ、可動支持板には連結具を介して複数枚の台紙が係脱可能に連結された「台紙回転式アルバム」がある（例えば、特許文献３参照）。
【特許文献１】実用新案登録第３００９７７０号公報
【特許文献２】特開平５−１７７９７１号公報
【特許文献３】特開２００１−９６９４６号公報
【考案の開示】
【考案が解決しようとする課題】
【０００６】
上記特許文献１記載の技術では、写真立てとして利用する場合、表面を延長した折返しの先端を裏面の切れ目に挿入して全体を箱状とし、この箱状のアルバムを自立させることとしている。このため、写真立てとしては単に箱状のものが立っているだけで、装飾用として面白みが無い上に、体裁も余り良くなく、しかも箱状にするのに表面の折り返しの先端を裏面の切れ目に挿入するのが面倒でもある。
【０００７】
また、上記特許文献２記載の技術では、表側体と裏側体との構造が複雑で、コストが掛かる上に、写真立てとして利用するときの安定性がそれほど良くない。
【０００８】
更に、上記特許文献３記載の技術では、写真立てとして使用する場合、可動支持板を回転させる必要があって面倒である上に、可動支持板を回転可能に支持するための構造（固定円板や固定円板を嵌合させる摺動係合穴）が複雑であり、コストが掛かる。
【０００９】
この考案は、そのような問題点に着目してなされたもので、できる限り単純な構造でコストを抑え、アルバムとしては勿論のこと写真立てとしても体裁が良く、写真立てとしたときの安定性も良く、しかもアルバムと写真立てとの相互の状態変化を簡単に行えるアルバム兼用写真立てを提供することを目的とする。
【課題を解決するための手段】
【００１０】
前記目的を達成するために、本考案のアルバム兼用写真立ては、表板と裏板とを連設部により相互に折り曲げ可能に連設し、その連設部の延伸方向に直交する方向における表板の少なくともほぼ中央部から連設部側に前記延伸方向の折り曲げ部を設け、前記直交方向における裏板の少なくともほぼ中央部から連設部に対向する端部側に前記延伸方向の折り曲げ部を設け、裏板内面の前記折り曲げ部から前記端部に至る部分に写真入れを取付けてなることを特徴とする。
【００１１】
このアルバム兼用写真立ては、表板と裏板とにそれぞれ折り曲げ部が設けられ、裏板内面に写真入れが取付けられただけの単純な構造である。アルバムとして使用する場合は、通常の見開き本と同様に扱い、表板を開けば、裏板側の写真入れの写真を見ることができる。
【００１２】
写真立てとして利用する場合は、表板と裏板を相互に開き、表板の折り曲げ部から外側部分（折り曲げ部から連設部に対向する端部に至る部分）を折り曲げ部から内側に折り曲げるとともに、裏板の折り曲げ部から外側部分（折り曲げ部から連設部に対向する端部に至る部分）を折り曲げ部から外側に折り曲げる。
【００１３】
すると、写真入れは裏板の外側部分だけに取付けられているので、写真入れが裏板内面に対して浮き上がり、この浮き上がった写真入れの裏側（裏板の折り曲げ部）に表板の外側部分の先端を突き当てることで、表板の折り曲げ部から内側部分（折り曲げ部から連設部に至る部分）を底面とし、表板の外側部分を前斜面とし、裏板の折り曲げ部から内側部分（折り曲げ部から連設部に至る部分）を後斜面とする横断面三角形状の台が形成される。また、表板の外側部分（前斜面）と裏板の外側部分がほぼ同一平面上に並ぶので、写真入れが斜めに傾いた状態に保持される。勿論、写真立ての状態からアルバムの状態に戻すには上記と反対の動作を行えばよい。
【００１４】
このアルバム兼用写真立てにおいて、表板の折り曲げ部は、連設部から直交方向における表板の長さのほぼ１／３の位置に設けられ、裏板の折り曲げ部は、端部から直交方向における裏板の長さのほぼ１／３の位置に設けられていることが好ましい。これにより、写真立てとして安定性や写真入れの写真の視認性（写真入れの傾斜度合）がほど良く両立する。
【００１５】
また、写真入れは、具体的には、窓部を有する外装板と、この外装板の裏面に窓部を覆うように取付けられた背板とからなるのが好適である。この場合、写真入れの背板が裏板内面に取付けられることになる。
【考案の効果】
【００１６】
本考案によれば、単純な構造でコストを低く抑えつつ、アルバムとしては勿論のこと写真立てとしても体裁が良く、写真立てとしたときの安定性も良く、しかもアルバムと写真立てとの相互の状態変化を簡単に行える。
【００１７】
また、請求項２の構成とすることで、写真立てとして安定性や写真入れの写真の視認性（写真入れの傾斜度合）がほど良く両立する。
【考案を実施するための最良の形態】
【００１８】
以下、実施の形態により、この考案を更に詳細に説明する。
【００１９】
実施形態に係るアルバム兼用写真立ての表板と裏板とを開いた状態の斜視図を図１に、写真立てとした状態での側面図を図２に、写真立てとした状態での正面図を図３に示す。このアルバム兼用写真立て１は、四角形状の表板１０と同四角形状の裏板２０とを連設部４０により相互に折り曲げ可能に連設し、その連設部４０の延伸方向に直交する方向における表板１０の少なくともほぼ中央部から連設部４０側に前記延伸方向の折り曲げ部１５を設け、同直交方向における裏板２０の少なくともほぼ中央部から連設部４０に対向する端部側に前記延伸方向の折り曲げ部２５を設け、裏板２０内面の折り曲げ部２５から連設部４０に対向する端部に至る部分２２に写真入れ３０を取付けてなる。
【００２０】
表板１０は、折り曲げ部１５を挟んで、折り曲げ部１５から連設部４０に至る部分（内側部分）１１と、折り曲げ部１５から連設部４０に対向する端部に至る部分（外側部分）１２とに分かれる。同様に、裏板２０は、折り曲げ部２５を挟んで、折り曲げ部２５から連設部４０に至る部分（内側部分）２１と、折り曲げ部２５から連設部４０に対向する端部に至る部分（外側部分）２２とに分かれる。
【００２１】
ここでは、表板１０の折り曲げ部１５は、連設部４０から前記直交方向における表板１０の長さのほぼ１／３の位置に設けられ、裏板２０の折り曲げ部２５は、その端部から同直交方向における裏板の長さのほぼ１／３の位置に設けられている。すなわち、表板１０の内側部分１１の長さをａ１、外側部分１２の長さをａ２とすると、ａ１：ａ２≒１：２であり、裏板２０の内側部分２１の長さをｂ１、外側部分２２の長さをｂ２とすると、ｂ１：ｂ２≒２：１である。
【００２２】
写真入れ３０は、長方形状の窓部（開口）３１ａを有する四角形状の外装板３１と、この外装板３１の裏面に窓部３１ａを覆うように取付けられた同四角形状の背板３２とからなり、全体は裏板２０よりも１回り小さい大きさである。ここでは、写真入れ３０の背板３２が裏板２０の外側部分２２内面に例えば接着剤により固着されることで、写真入れ３０が裏板２０内面に取付けられる。また、背板３２は外装板３１の裏面全体に固着されているのではなく、４辺のうち、１辺寄り部分（ここでは、図３における左辺寄り部分）だけが外装板３１の裏面に固着され、残りの３辺寄りの部分は固着されていない。これにより、外装板３１と背板３２との間に写真を挟み込んで、写真を外装板３１の窓部３１ａに保持することができる。
【００２３】
表板１０の折り曲げ部１５、裏板２０の折り曲げ部２５、表板１０と裏板２０との連設部４０は、いずれも当該部分で薄肉になることで、内外両側に容易に折り曲げることができるようになっている。また、連設部４０は、写真入れ３０が分厚いときは、背表紙としても機能することになる。勿論、折り曲げ部１５，２５及び連設部４０は、繰り返しの折り曲げに十分に耐え得る。
【００２４】
なお、表板１０及び裏板２０は、例えば厚紙等の芯材の表面をビニールレザーや布地で覆ったものでもよいし、プラスチック等の合成樹脂からなるものでもよい。また、写真入れ３０は、例えば厚紙からなる。
【００２５】
このように構成したアルバム兼用写真立て１をアルバムとして使用する場合で、アルバムとして仕舞っておくときは、表板１０と裏板２０を重ね合わせておけばよい。アルバムを見るときは、表板１０を開けば、裏板２０側の写真入れ３０の写真を見ることができる。
【００２６】
一方、写真立てとして利用する場合は、表板１０と裏板２０を相互に開き、表板１０の外側部分１２を折り曲げ部１５から内側に折り曲げるとともに、裏板２０の外側部分２２を折り曲げ部２５から外側に折り曲げる。すると、写真入れ３０は裏板２０の外側部分２２だけに取付けられているので、写真入れ３０が裏板２０内面に対して浮き上がり、この浮き上がった写真入れ３０の裏側（裏板２０の折り曲げ部２５）に表板１０の外側部分１２の先端を突き当てる。こうすることで、表板１０の内側部分１１を底面とし、表板１０の外側部分１２を前斜面とし、裏板２０の内側部分２１を後斜面とする横断面三角形状の台が形成される（図２参照）。
【００２７】
また、図２から明らかなように、表板１０の外側部分（前斜面）１２と裏板２０の外側部分２２がほぼ同一平面上に並ぶので、写真入れ３０が斜めに傾いた状態に保持される。勿論、写真立ての状態（図２の状態）からアルバムの状態に戻すには上記と反対の動作を行えばよい。
【００２８】
このアルバム兼用写真立て１によれば、表板１０及び裏板２０にそれぞれ折り曲げ部１５，２５を設け、裏板２０の外側部分２２内面に写真入れ３０を取付けただけの単純な構造であって、コストを低く抑えつつ、アルバムとしては勿論のこと写真立てとしても体裁が良く、写真立てとしたときに三角形状の台により安定性も良く、しかもアルバムと写真立てとの相互の状態変化を簡単に行える。
【００２９】
また、表板１０の折り曲げ部１５がａ１：ａ２≒１：２に位置し、裏板２０の折り曲げ部２５がｂ１：ｂ２≒２：１に位置するので、写真立てとして安定性や写真入れ３０の写真の視認性（写真入れ３０の傾斜度合）がほど良く両立する。
【００３０】
なお、上記実施形態では、写真入れ３０に写真を保持するのに、背板３２を利用して外装板３１と背板３２との間に写真を挟み込むようにしているが、これに限定されることはない。
【図面の簡単な説明】
【００３１】
【図１】実施形態に係るアルバム兼用写真立ての表板と裏板とを開いた状態の斜視図である。
【図２】同アルバム兼用写真立てを写真立てとした状態での側面図である。
【図３】同アルバム兼用写真立てを写真立てとした状態での正面図である。
【図４】従来例に係る写真立ての斜視図である。
【符号の説明】
【００３２】
１        アルバム兼用写真立て
１０      表板
１１      表板の内側部分
１２      表板の外側部分
１５      表板の折り曲げ部
２０      裏板
２１      裏板の内側部分
２２      裏板の外側部分
２５      裏板の折り曲げ部
３０      写真入れ
３１      外装板
３１ａ    窓部
３２      背板
４０      連設部
【図１】
0003103884.tif 000003
【図２】
0003103884.tif 000004
【図３】
0003103884.tif 000005
【図４】
0003103884.tif 000006